(57)【要約】カートリッジフィルタをキャビネット内の仕切り板に短時間にして容易に取り付けることができるカートリッジフィルタ式集塵機を提供する。カートリッジフィルタ（Ｆ）の上部を保持部材（１４）と一緒にカートリッジフィルタ着脱機構（５）の本体（８）の下方から開口（７）に挿入したのち所要角度回転させて、カートリッジフィルタを保持部材の掛止部（１４ａ）にて本体に掛止させ、同様にして複数本のカートリッジフィルタを掛止したカートリッジフィルタ着脱機構を、入出用開口（６）からキャビネット（１）内に搬入し、続いて、カートリッジフィルタ着脱機構の先端を一対のレール（４）の基端部間に装架したのち、カートリッジフィルタ着脱機構を一対のレール上を摺動させて所定位置まで移動させ、その後、カートリッジフィルタ着脱機構を仕切り板（３）の下方に固定するのを可能にしたカートリッジフィルタ式集塵機。【選択図】図４
2009041493.tif 000002
【特許請求の範囲】
【請求項１】
複数のカートリッジフィルタを並べてキャビネット内に垂設した集塵機であって、
前記カートリッジフィルタの上端部に装着され中抜き円盤状を成すとともに周縁部に複数の掛止部を該円盤を広げる方向に突設した保持部材と、
前記キャビネット内に水平方向へ延びて装着されキャビネット内をクリーンサイドとダーティサイドとに上下に仕切り、かつ前記カートリッジフィルタと連通される複数の開口を有する仕切り板と、
前記仕切り板の下方に複数の前記開口を挟むようにして装着され、前記仕切り板と平行に延びかつ先端部が前記仕切り板の下面に向け上向きに傾斜する摺動面を有する一対のレールと、
前記対を成すレールの前記摺動面に着脱かつ摺動可能に載架され、複数本の前記カートリッジフィルタおよび前記保持部材を貫通可能な複数個の開口が形成された本体を有するカートリッジフィルタ着脱機構と、を具備し、
前記キャビネットの側壁の前記レールの前記先端部と反対の基端部側に、複数個の前記カートリッジフィルタを掛止した前記カートリッジフィルタ着脱機構を入出するための入出用開口が形成され、
前記カートリッジフィルタ着脱機構の本体の開口の周縁部には、前記保持部材の前記掛止部が貫通できる切欠き部が形成され、
前記カートリッジフィルタ着脱機構が前記レールの前記先端部に一端が支持されて前記仕切り板の下面に接近するときに、前記一端と対向する他端を前記仕切り板の下面に接近するように固定する固定手段を備える、
カートリッジフィルタ式集塵機。
【請求項２】
前記カートリッジフィルタが、直線状または碁盤の目状に並べられた；
請求項１のカートリッジフィルタ式集塵機。
【請求項３】
前記掛止部が前記保持部材の中抜き円盤状の周縁部に等間隔をおいて配設された；
請求項１のカートリッジフィルタ式集塵機。
【請求項４】
請求項１に記載のカートリッジフィルタ式集塵機において、
前記カートリッジフィルタ着脱機構は、
前記レールの上を摺動される方向と平行な辺を有する長方形の板状を成し、前記摺動される方向での両端部分が板状の面外に折れ曲がり、前記開口を所要の間隔をおき直線状に並べて有する本体と、
前記摺動される方向の辺に沿って、前記本体の下面に配置された補強部材であって、前記摺動される方向での両端部が円弧状を成した補強部材と、
を含むことを特徴とするカートリッジフィルタ式集塵機。
【請求項５】
請求項１ないし４のいずれかに記載のカートリッジフィルタ式集塵機を用いて、
前記カートリッジフィルタ着脱機構の前記仕切り板への固定状態を解除したのち、前記カートリッジフィルタ着脱機構を一対の前記レールを介して前記入出用開口から前記キャビネット外に引き出し、続いて、前記カートリッジフィルタのほぼ全体を袋部材内に収納させたのち前記カートリッジフィルタと前記保持部材とを一緒に所要角度回転させて、前記保持部材が前記カートリッジフィルタ着脱機構の本体の前記開口を通過可能な状態にし、
その後、カートリッジフィルタを収納した袋部材を下降させてカートリッジフィルタをカートリッジフィルタ着脱機構から分離して行うことを特徴とする；
カートリッジフィルタのカートリッジフィルタ式集塵機からの取外し方法。
【発明の詳細な説明】
【技術分野】
【０００１】
本発明は、複数のカートリッジフィルタをキャビネット内に垂設したカートリッジフィルタ式集塵機およびカートリッジフィルタの該カートリッジフィルタ式集塵機からの取外し方法に関する。
【背景技術】
【０００２】
従来、カートリッジフィルタ式集塵機の一つとして実開平４−８７７１８号公報のように構成されたものがある。
すなわち、機体の内部を仕切り板により清浄室とダスト室の上下２室に仕切り、フィルタ用取付け板の両側縁を下方に屈曲してガイド縁を構成する一方、前記仕切り板の底面に取付け板の両ガイド片を両側から支持して取付け板の差込みをガイドする左右一対の支持枠を並設し、これら各支持枠の先端部側に、取付け板の差込みに従って前記各ガイド縁の先端部をガイドして、取付け板の先端側を仕切り板の底面に向けて上昇させ、かつ、取付け板の後端部側と仕切り板に形成したネジ止め用の各ネジ孔が合致する位置で取付け板の差込みを制止する傾斜部を設けたカートリッジフィルタ式集塵機である。
【発明の開示】
【０００３】
しかし、このように構成された従来のカートリッジフィルタ式集塵機では、カートリッジフィルタが、バグフィルタとは異なり柔軟性が無いため、カートリッジフィルタの取付けや交換に手間隙が非常に掛かる問題があり、カートリッジフィルタをキャビネット内の仕切り板に容易に取り付けることができる方法およびその装置の開発がこの種の業界から要請されていた。
本発明は上記課題を解決するためになされたもので、その目的は、カートリッジフィルタをキャビネット内の仕切り板に短時間にして容易に取り付けることができるカートリッジフィルタ式集塵機を提供することにある。
【０００４】
上記の目的を達成するため本発明のカートリッジフィルタ式集塵機は、複数のカートリッジフィルタを並べてキャビネット内に垂設した集塵機であって、前記カートリッジフィルタの上端部に装着され中抜き円盤状を成すとともに周縁部に複数の掛止部を該円盤を広げる方向に突設した保持部材と、前記キャビネット内に水平方向へ延びて装着されキャビネット内をクリーンサイドとダーティサイドとに上下に仕切り、かつ前記カートリッジフィルタと連通される複数の開口を有する仕切り板と、前記仕切り板の下方に複数の前記開口を挟むようにして装着され、前記仕切り板と平行に延びかつ先端部が前記仕切り板の下面に向け上向きに傾斜する摺動面を有する一対のレールと、前記対を成すレールの前記摺動面に着脱かつ摺動可能に載架され、複数本の前記カートリッジフィルタおよび前記保持部材を貫通可能な複数個の開口が形成された本体を備えたカートリッジフィルタ着脱機構と、を具備し、前記キャビネットの側壁の前記レールの前記先端部と反対の基端部側に、複数個の前記カートリッジフィルタを掛止した前記カートリッジフィルタ着脱機構を入出するための入出用開口が形成され、前記カートリッジフィルタ着脱機構の本体の前記開口の周縁部には、前記保持部材の掛止部が貫通できる切欠き部が形成され、前記カートリッジフィルタ着脱機構が前記レールの前記先端部に一端が支持されて前記仕切り板の下面に接近するときに、前記一端と対向する他端を前記仕切り板の下面に接近するように固定する固定手段を備えることを特徴とする。
【０００５】
本発明によれば、複数のカートリッジフィルタを並べてキャビネット内に垂設したカートリッジフィルタ式集塵機が、前記カートリッジフィルタの上端部に装着され中抜き円盤状を成すとともに周縁部に複数の掛止部を該円盤を広げる方向に突設した保持部材と、前記キャビネット内に水平方向へ延びて装着されキャビネット内をクリーンサイドとダーティサイドとに上下に仕切り、かつ前記カートリッジフィルタと連通される複数の開口を有する仕切り板と、前記仕切り板の下方に複数の前記開口を挟むようにして装着され、前記仕切り板と平行に延びかつ先端部が前記仕切り板の下面に向け上向きに傾斜する摺動面を有する一対のレールと、前記対を成すレールの前記摺動面に着脱かつ摺動可能に載架され、複数本の前記カートリッジフィルタおよび前記保持部材を貫通可能な複数個の開口が形成された本体を備えたカートリッジフィルタ着脱機構と、を具備し、前記キャビネットの側壁の前記レールの前記先端部と反対の基端部側に、複数個の前記カートリッジフィルタを掛止した前記カートリッジフィルタ着脱機構を入出するための入出用開口が形成され、前記カートリッジフィルタ着脱機構の本体の前記開口の周縁部には、前記保持部材の掛止部が貫通できる切欠き部が形成され、前記カートリッジフィルタ着脱機構が前記レールの前記先端部に一端が支持されて前記仕切り板の下面に接近するときに、前記一端と対向する他端を前記仕切り板の下面に接近するように固定する固定手段を備えるので、カートリッジフィルタをキャビネット内の仕切り板に短時間にして容易かつ確実に取り付けることができるなどの優れた実用的効果を奏する。また、カートリッジフィルタ式集塵機から容易にカートリッジフィルタを取り外すことができる。
【０００６】
この出願は、日本国で２００７年９月２６日に出願された特願２００７−２４８４８３号および２００７年９月２７日に出願された特願２００７−２５１６４０号に基づいており、その内容は本出願の内容として、その一部を形成する。
また、本発明は以下の詳細な説明により更に完全に理解できるであろう。しかしながら、詳細な説明および特定の実施例は、本発明の望ましい実施の形態であり、説明の目的のためにのみ記載されているものである。この詳細な説明から、種々の変更、改変が、当業者にとって明らかだからである。
出願人は、記載された実施の形態のいずれをも公衆に献上する意図はなく、開示された改変、代替案のうち、特許請求の範囲内に文言上含まれないかもしれないものも、均等論下での発明の一部とする。
本明細書あるいは請求の範囲の記載において、名詞及び同様な指示語の使用は、特に指示されない限り、または文脈によって明瞭に否定されない限り、単数および複数の両方を含むものと解釈すべきである。本明細書中で提供されたいずれの例示または例示的な用語（例えば、「等」）の使用も、単に本発明を説明し易くするという意図であるに過ぎず、特に請求の範囲に記載しない限り本発明の範囲に制限を加えるものではない。
【発明を実施するための最良の形態】
【０００７】
以下、本発明を適用したカートリッジフィルタ式集塵機について図１〜図４に基づき詳細に説明する。本カートリッジフィルタ式集塵機は、図１に示すように、キャビネット１内に水平方向へ延びて装着されキャビネット１内をクリーンサイドとダーティサイドとに上下に仕切りかつ左右方向へ直線状に並ぶ３本のカートリッジフィルタＦと連通する３個の開口２を有する仕切り板３と、この仕切り板３の下方に、直線状に並ぶ３個の前記開口２を前後から挟むようにして装着され、３個の開口２に沿って延びかつ先端部４ａ（図１の右端部）が上向きに傾斜して前記仕切り板３の下面に到達する摺動面を有する一対のレール４と、これら一対のレール４の摺動面上に着脱かつ摺動可能に載架され３本の前記カートリッジフィルタＦを掛止可能なカートリッジフィルタ着脱機構５と、を備え、前記キャビネット１の図１の左側の側壁における、前記一対のレール４の基端側に、図示しない扉によって開閉されて前記カートリッジフィルタＦを掛止した前記カートリッジフィルタ着脱機構５を入出するための入出用開口６が形成される。【０００８】
カートリッジフィルタＦは、略円筒形で、その側面に相当する部分にひだ折りされたフィルタ要素を備え、底面は封止され、上面（上端部）は開放されている。側面のフィルタ要素を通過することにより、空気は清浄される。【０００９】
そして、前記カートリッジフィルタＦの上端部には、図２に示すように、中抜き円盤状を成すとともに円盤の周縁部に複数の掛止部１４ａを等間隔をおいて円盤を広げる方向に突設した保持部材１４が装着してある。すなわち、カートリッジフィルタＦの上面を開放し、空気の流通を妨げないよう中抜きとされ、カートリッジフィルタＦの上端部の周縁（この部分は、フィルタ要素ではなく、枠構造としてプラスチック等で形成される）に保持部材１４が装着される。装着は、差込でもねじ込みでも他のいかなる方法で行われてもよい。なお、カートリッジフィルタＦと保持部材１４とが一体で成形されている場合であっても、中抜き円盤状で周縁部に掛止部１４ａ部分を有する部分を保持部材１４とする。掛止部１４ａは、矩形に形成されても、周縁部を波型にすることによりその山部が掛止部となってもよく、円盤を楕円に形成することによりその長径の部分が掛止部となってもよく、形状は任意である。また、掛止部１４ａは、等間隔に突設されなくてもよい。保持部材１４の中抜き円盤状の外径は、仕切り板３の開口２の内径とほぼ同じに形成され、あるいは僅かに小さく形成され、保持部材１４の中抜き円盤状の部分は開口２に嵌入されるのが好ましい。【００１０】
また、前記カートリッジフィルタ着脱機構５は、図２および図３に示すように、長方形の板状を成し、開口７が並べられた方向での両端部分８ａが９０度上方に折れ曲がり、かつ３本の前記カートリッジフィルタＦがそれぞれ貫通可能な３個の円形の開口７を前記開口２と同一の間隔をおいて有する本体８と、この本体８の下面の開口７が並べられた方向と平行な両側の辺に沿って延在し固着された、鉛直に配置された板状部材の補強部材９と、で構成してある。開口７が並べられた方向での両端部分８ａの折れ曲がりは９０度でなくてもよく、また、上方ではなく下方に折れ曲がってもよく、折れ曲がりにより、本体８の板状部分の曲げ剛性を高める角度であればよい。また、折れ曲げるのではなく、本体８とは別の板を固着して折れ曲がりとしてもよい。ただし、カートリッジフィルタFの取り付け、取り外しには、９０度上方に折れ曲がるのが使いやすい。また、補強部材９は、折れ曲がりにより補強された辺とは異なる辺での本体８の板状部分の曲げ剛性を高める。なお、補強部材９は、本体８と一体で折り曲げて形成された部材でもよい。
そして、この補強部材９の両端部は下方が円弧状９ａを成していて前記一対のレール４の摺動面上を円滑に摺動可能なようになっている。すなわち、開口７が並べられた方向が、カートリッジフィルタ着脱機構５がレール４上で摺動される方向（レール４の指向方向）と一致する。また、補強部材９の水平方向の一端部側は下方に延伸し、カートリッジフィルタ着脱機構５がレール４上に載置され摺動されたときのストッパー９ｂとなっている。ストッパー９ｂによりカートリッジフィルタ着脱機構５を仕切り板３に固定する位置を定め、カートリッジフィルタ着脱機構５を仕切り板３に固定するための後述するボルト１１の締め付けが容易になり、あるいは、カートリッジフィルタ着脱機構５をレール４上で奥へ送り込みすぎるのを防止する。【００１１】
また、図２に示すように、前記本体８のストッパー９ｂ側の端部（図２の左端部）近くにはボルト用の挿入孔１０が設けてあって、図１に示すように、前記カートリッジフィルタ着脱機構５を前記一対のレール４上に装架して前記仕切り板３の下面まで押し上げたのち、ボルト１１によって前記カートリッジフィルタ着脱機構５を前記仕切り板３に固定することができるようになっている。挿入孔１０を長孔として、カートリッジフィルタ着脱機構５の位置が多少ずれてもボルト１１を締め込み易い構造としてもよい。なお、カートリッジフィルタ着脱機構５を仕切り板３の下面に固定する固定手段は、ボルトに限られず、クリップ止め等、周知の手段でよく、また、カートリッジフィルタ着脱機構５の大きさによっては複数の固定手段を備えてもよい。また、カートリッジフィルタ着脱機構５の開口７の周縁部には前記保持部材１４の複数の掛止部１４ａが通過可能な複数の切欠き部７ａが形成してある。切欠き部７ａは、掛止部１４ａと対応した位置に僅かに大きな形状で形成されるのがよい。なお、掛止部１４ａおよび切欠き部７ａが等間隔で形成されると、保持部材１４およびカートリッジフィルタＦを開口７に挿入し易くなる。カートリッジフィルタ着脱機構５を仕切り板３の下面に向けて押し上げて固定すると、保持部材１４の円盤状の部分が開口２と嵌合することにより、あるいは、カートリッジフィルタ着脱機構５が仕切り板３の下面に押し当てられることにより、カートリッジフィルタＦ、保持部材１４と開口２とのシール性が高まる。【００１２】
カートリッジフィルタＦを取り付けるには先ず、図４（Ａ）に示すように、レール４上を摺動させて開口７が並べられた方向（縦向き）へカートリッジフィルタ着脱機構５を移動して、入出用開口６からキャビネット１の外に引き出したのち、カートリッジフィルタＦの上部を保持部材１４と一緒にカートリッジフィルタ着脱機構５の本体８の下方から開口７に挿入する。その際、カートリッジフィルタＦと保持部材１４とを、保持部材１４の掛止部１４ａが開口７の周縁部に形成された切欠き部７ａと位置が合うように回転させておく。保持部材１４が開口７を貫通し、カートリッジフィルタ着脱機構５の上方に出たならば、カートリッジフィルタＦを所要角度回転させて保持部材１４の複数の掛止部１４ａを開口７の複数の切欠き部７ａの位置からずらしたのち、カートリッジフィルタＦを下げて、カートリッジフィルタＦを保持部材１４を介して本体８に掛止する。同様にして、３本のカートリッジフィルタＦを保持部材１４の掛止部１４ａにて本体８に掛止する。【００１３】
次いで、図４（Ｂ）に示すように、カートリッジフィルタ着脱機構５を、ボルト孔１０が形成された方が後ろ（レール４から離れる方向）になるように２本のレール４上に載置し、レール４の先端方向（図４（Ｂ）の右方）へ摺動させる。レール４の先端４ａまで摺動し、図４（Ｃ）に示すように、カートリッジフィルタ着脱機構５の先端をレール４を介して押し上げて仕切り板３の下面に接触させ、続いて、カートリッジフィルタ着脱機構５の後ろを持ち上げて保持部材１４の頭部を開口２に挿入するとともにカートリッジフィルタ着脱機構５の後ろを仕切り板３の下面に接触させたのち、挿入孔１０にボルト１１を挿入してカートリッジフィルタ着脱機構５を仕切り板３に固定して、カートリッジフィルタＦの仕切り板３への取付けを完了する。なお、保持部材１４あるいはカートリッジフィルタＦの上端部が開口２と連通すればよく、カートリッジフィルタ着脱機構５と仕切り板３との間に間隙があってもよい。ここで、「連通する」とは、２つのものの間で実質的な漏れがなく流体が流れるように接続される状態を指し、２つのものの間に他のものが挟まれていてもよい。【００１４】
また、カートリッジフィルタＦのカートリッジフィルタ式集塵機からの取外しは、ボルト１１を挿入孔１０から抜き出してカートリッジフィルタ着脱機構５の仕切り板３への固定状態を解除したのち、カートリッジフィルタ着脱機構５を一対のレール４を介して入出用開口６からキャビネット１外に引き出し、続いて、カートリッジフィルタＦのほぼ全体を図示しない袋部材内に収納させたのちカートリッジフィルタＦと保持部材１４とを一緒に所要角度回転させて、保持部材１４がカートリッジフィルタ着脱機構５の本体８の開口７を通過可能な状態にし、その後、カートリッジフィルタＦを収納した袋部材を下降させてカートリッジフィルタＦをカートリッジフィルタ着脱機構５から分離して行うことができる。【００１５】
これにより、カートリッジフィルタＦを１本単位でカートリッジフィルタ式集塵機から取り外すことができる。しかも、狭い場所でも、ダストを飛散させたり、周囲を汚したりすることなくカートリッジフィルタＦを交換することが可能になる。【００１６】
なお、上記の実施例のカートリッジフィルタ着脱機構５は、３本のカートリッジフィルタＦを掛止するようにしてあるが、２本以上何本のカートリッジフィルタＦを掛止可能なように構成してもよい。また、カートリッジフィルタＦの配置、すなわち、開口２あるいは開口７の配置は、碁盤の目状、ジグザグ、ランダム等任意の配置でよい。
またなお、上記の実施例では、前記レール４は一対しか設けてないが、複数のカートリッジフィルタ着脱機構５を装架可能なように、複数対設けてもよい。
またなお、上記の実施例では、３本のカートリッジフィルタＦを並べた向きにしてカートリッジフィルタ着脱機構５を入出用開口６からキャビネット１内に搬入するようにしているが、複数のカートリッジフィルタＦを並べた向きに直交方向にしてカートリッジフィルタ着脱機構５を入出用開口６からキャビネット１内に搬入するように構成してもよい。
またなお、上記の実施例では、カートリッジフィルタ着脱機構５は１個設けてあるが、必要に応じて複数個設けてもよい。
【図面の簡単な説明】
【００１７】
【図１】本発明を適用したカートリッジフィルタ式集塵機の一実施例の模式図である。
【図２】図１における主要部（カートリッジフィルタ着脱機構およびカートリッジフィルタ）の斜視図である。
【図３】図１における主要部（カートリッジフィルタ着脱機構）の斜視図である。
【図４】図１のカートリッジフィルタ式集塵機にカートリッジフィルタを取り付けるための操作説明図である。
【図１】
2009041493.tif 000003
【図２】
2009041493.tif 000004
【図３】
2009041493.tif 000005
【図４】
2009041493.tif 000006
【国際調査報告】
2009041493.tif 000007
2009041493.tif 000008
2009041493.tif 000009
2009041493.tif 000010